(57)【要約】【課題】スナップボタンが取り付けられた衣服にアイロンをかけても、円盤状頭部の表面中央部に異様な光沢のある円形の平坦面が発生するのを防止でき、リベット部材本来の美観、デザインが損なわれないようにしたスナップボタン用の合成樹脂製リベット部材を提供する。【解決手段】上方に凸の湾曲面を有する円盤状頭部６の裏面中央部に衣服等の生地に刺し通すカシメ用の突起７が一体成形されたスナップボタン用の合成樹脂製リベット部材３において、円盤状頭部６の表面中央部に円形凹入部８を形成し、アイロンの底面が円形凹入部８の底面に接触しないようにする。【選択図】図２
2015023983.tif 000002
【特許請求の範囲】
【請求項１】
上方に凸の湾曲面を有する円盤状頭部の裏面中央部に衣服等の生地に刺し通すカシメ用
の突起が一体成形されたスナップボタン用の合成樹脂製リベット部材であって、円盤状頭
部の表面中央部に円形凹入部が形成されていることを特徴とするスナップボタン用の合成
樹脂製リベット部材。
【請求項２】
円形凹入部の底面にシボ加工が施されていることを特徴とする請求項１に記載のナップ
ボタン用の合成樹脂製リベット部材。
【請求項３】
円盤状頭部の表面における円形凹入部の周囲に、円形凹入部の深さと同程度の段差を付
けて円盤状頭部の表面外周部と区画された環状部分を形成してあることを特徴とする請求
項１又は２に記載のナップボタン用の合成樹脂製リベット部材。
【請求項４】
円形凹入部と段差との間に形成された環状部分が花びら模様に形成されていることを特
徴とする請求項３に記載のナップボタン用の合成樹脂製リベット部材。
【発明の詳細な説明】
【技術分野】
【０００１】
本発明は、上方に凸の湾曲面を有する円盤状頭部の裏面中央部に衣服等の生地に刺し通
すカシメ用の突起が一体成形され、このカシメ用の突起を生地の裏面側に配置された雌型
又は雄型の嵌合用部材の貫通孔に挿入してカシメ止めすることにより雌型又は雄型のスナ
ップボタンを構成するようにしたスナップボタン用の合成樹脂製リベット部材に関するも
のである。
【背景技術】
【０００２】
例えば、図１０〜図１２に示すように、衣服等の生地Ｂ１に刺し通す先鋭なカシメ用の
突起７が円盤状頭部６の裏面中央部に突設された合成樹脂製のリベット部材３と、基板１
２の表面に略円筒状で且つ先端側内周面に係合用膨出部１３を形成した雌型嵌合部１４が
形成され、当該雌型嵌合部１４内の基板中央に前記生地Ｂ１に刺し通した突起７を貫通さ
せてカシメ止めするための貫通孔が形成された雌型の嵌合用部材（ソケット）２とで構成
される雌型のスナップボタンＡ１と、生地Ｂ２に刺し通す先鋭なカシメ用の突起７が円盤
状頭部６の裏面中央部に突設された合成樹脂製のリベット部材５と、基板１５の表面に略
円筒状で且つ先端側外周面に係合用膨出部１６を形成した雄型嵌合部１７が形成され、当
該雄型嵌合部１７内の基板中央に前記生地Ｂ２に刺し通した突起７を貫通させてカシメ止
めするための貫通孔が形成された雄型の嵌合用部材（スタッド）４とで構成される雄型の
スナップボタンＡ２とから成る合成樹脂製スナップボタンは、特許文献１,２等によって
知られている。
【０００３】
従来、この種の合成樹脂製スナップボタンにおいては、図１１に示すように、リベット
部材３,５における円盤状頭部６,６の上面全体が上方に凸の湾曲面に形成されていた。そ
のため、図１２に示すように、雌型,雄型のスナップボタンＡ１，Ａ２が取り付けられた
衣服にアイロンをかける際、衣服の上に重なる縁部（例えば、上前立て）の表面側に配置
されたリベット部材３における円盤状頭部６の表面中央部にアイロン１０の底面１０ａが
局部的に強く接触して、表面中央部を加熱しつつ押圧することになり、その結果、表面中
央部の材料樹脂が溶けて、表面中央部に異様な光沢のある小さな円形の平坦面が形成され
ることがあった。
【０００４】
尚、リベット部材の頭部表面が上方に凸の湾曲面であるため、表面中央部の周囲は外周
部ほど低くなる傾斜面となっており、アイロンの底面が強く接触し難い上、アイロンの底
面がリベット部材の頭部を押圧するにつれて、頭部の外周部が衣服の生地に沈み込んで行
くので、アイロンがけによる材料樹脂の溶融や異様な光沢のある平坦面は発生しない。
【０００５】
上述した円形の平坦面は、円盤状頭部６の表面全体が元々光沢のある湾曲面に形成され
ていたリベット部材においては、殆ど目に付かず、それ故、洗濯後のアイロンがけに起因
する円形平坦面の発生は、さほど問題視されていない。しかし、例えば、円盤状頭部６の
表面全体をシボ加工した所謂つや消しタイプのリベット部材の場合には、洗濯後のアイロ
ンがけによって、表面中央部に光沢のある小さな円形の平坦面が発生すると、その周囲全
体がシボ加工によるつや消し面であるため、表面中央部に発生した異様な光沢のある円形
の平坦面が非常に目に付いて、リベット部材の本来の美観、デザインが損なわれ、衣服全
体としての見栄えも悪くなり、問題視される傾向が大きい。
【先行技術文献】
【特許文献】
【０００６】
【特許文献１】特許第３９０５６３７号公報
【特許文献２】特開２００５−１５２０５９号公報
【発明の概要】
【発明が解決しようとする課題】
【０００７】
本発明は、上述したスナップボタン用の合成樹脂製リベット部材の欠点を解消したもの
であって、その目的とするところは、スナップボタンが取り付けられた衣服にアイロンを
かけても、円盤状頭部の表面中央部に異様な光沢のある円形の平坦面が発生するのを防止
でき、リベット部材本来の美観、デザインが損なわれないようにしたスナップボタン用の
合成樹脂製リベット部材を提供することにある。
【課題を解決するための手段】
【０００８】
上記の目的を達成するために、本発明が講じた技術的手段は、次の通りである。即ち、
請求項１に係る発明のスナップボタン用の合成樹脂製リベット部材は、上方に凸の湾曲面
を有する円盤状頭部の裏面中央部に衣服等の生地に刺し通すカシメ用の突起が一体成形さ
れたスナップボタン用の合成樹脂製リベット部材であって、円盤状頭部の表面中央部に円
形凹入部が形成されていることを特徴としている。
【０００９】
請求項２に係る発明は、請求項１に記載のスナップボタン用の合成樹脂製リベット部材
であって、円形凹入部の底面にシボ加工が施されていることを特徴としている。
【００１０】
請求項３に係る発明は、請求項１又は２に記載のナップボタン用の合成樹脂製リベット
部材であって、円盤状頭部の表面における円形凹入部の周囲に、円形凹入部の深さと同程
度の段差を付けて円盤状頭部の表面外周部と区画された環状部分を形成してあることを特
徴としている。
【００１１】
請求項４に係る発明は、請求項３に記載のナップボタン用の合成樹脂製リベット部材で
あって、円形凹入部と段差との間に形成された環状部分が花びら模様に形成されているこ
とを特徴としている。
【発明の効果】
【００１２】
請求項１に係る発明によれば、上方に凸の湾曲面を有する円盤状頭部の裏面中央部に衣
服等の生地に刺し通すカシメ用の突起が一体成形され、このカシメ用の突起を生地の裏面
側に配置された雄型又は雌型の嵌合用部材の貫通孔に挿入してカシメ止めすることにより
雄型又は雌型のスナップボタンを構成するようにしたスナップボタン用の合成樹脂製リベ
ット部材において、円盤状頭部の表面中央部に円形凹入部を形成したので、スナップボタ
ンの取り付けられた衣服にアイロンをかけた際、アイロンの底面が円形凹入部の底面に接
触せず、円盤状頭部の表面中央部に異様な光沢のある円形の平坦面が発生するのを防止で
きる。従って、円形凹入部本来の底面の状態が保持されることになり、リベット部材本来
の美観、デザインが損なわれないので、衣服全体としての見栄えも確保できる。
【００１３】
請求項２に係る発明によれば、スナップボタンの取り付けられた衣服にアイロンをかけ
た際、アイロンの底面が円形凹入部のシボ加工された底面に接触しないので、円形凹入部
底面のシボ加工によるつや消し状態を保持でき、リベット部材本来の美観、デザインが損
なわれないので、衣服全体としての見栄えも確保できる。
【００１４】
請求項３に係る発明によれば、請求項１、２に係る発明の効果に加え、円盤状頭部の表
面における円形凹入部の周囲に、円形凹入部の深さと同程度の段差を付けて円盤状頭部の
表面外周部と区画された環状部分を形成してあるので、リベット部材の円盤状頭部に、円
盤状頭部の表面中央部の円形凹入部と、その周囲の環状部分と、その周囲の表面外周部と
による独特の三重模様が付されることになり、リベット部材の美観、デザイン性を高め得
る効果がある。
【００１５】
請求項４に係る発明によれば、請求項３に係る発明の効果に加え、円形凹入部と段差と
の間に形成された環状部分を花びら模様に形成したので、花びら模様が表面中央部の円形
凹入部によって強調され、リベット部材の美観、デザイン性を一層高め得る効果がある。
【図面の簡単な説明】
【００１６】
【図１】本発明に係るスナップボタン用の合成樹脂製リベット部材の平面図である。
【図２】図１のＡ−Ａ断面図である。
【図３】上記リベット部材の使用方法を説明する斜視図である。
【図４】上記リベット部材を使用したスナップボタンの断面図である。
【図５】上記リベット部材の効果を説明する断面図である。
【図６】本発明の他の実施形態を示す合成樹脂製リベット部材の平面図である。
【図７】本発明の他の実施形態を示す合成樹脂製リベット部材の平面図である。
【図８】本発明の他の実施形態を示す合成樹脂製リベット部材の平面図である。
【図９】本発明の他の実施形態を示す合成樹脂製リベット部材の平面図である。
【図１０】従来の合成樹脂製リベット部材の使用方法を説明する斜視図である。
【図１１】従来の合成樹脂製リベット部材の断面図である。
【図１２】従来の合成樹脂製リベット部材の問題点を説明するスナップボタンの断面図である。
【発明を実施するための形態】
【００１７】
図において、１は、雌型のスナップボタンＡ１と雄型のスナップボタンＡ２とから構成
された合成樹脂製のスナップボタンである。雌型のスナップボタンＡ１は、雌型の嵌合用
部材２と、それを、衣服の生地Ｂ１に取り付けるリベット部材３とから構成され、雄型の
スナップボタンＡ２は、雄型の嵌合用部材４と、それを衣服の生地Ｂ２に取り付けるリベ
ット部材５とから構成されている。
【００１８】
前記リベット部材３,５は、何れも、上方に凸の湾曲面を有する円盤状頭部６の裏面中
央部に衣服等の布地Ｂ１,Ｂ２に刺し通す先鋭なカシメ用の突起７が一体成形され、この
カシメ用の突起７を生地Ｂ１,Ｂ２の裏面側に配置された雌型,雄型の嵌合用部材２,４の
貫通孔に挿入してカシメ止めすることにより雌型,雄型のスナップボタンＡ１,Ａ２を構成
するものであり、ナイロン、ポリエステル（不飽和アルキドとビニール系モノマーの混合
物）、ポリアミド樹脂等の耐熱性に富む合成樹脂で形成されている。
【００１９】
前記リベット部材３,５のうち、スナップボタンを留めた状態（図４に示すように、雄
型,雌型のスナップボタンＡ１,Ａ２を弾性嵌合した状態）で、衣服の上に重なる縁部（例
えば、上前立て）の表面側に現れるリベット部材（ヘッド）３には、円盤状頭部６の表面
中央部に円形凹入部８が形成されている。また、図示の実施形態においては、円盤状頭部
６の表面のうち、円形凹入部８の周囲には、円形凹入部８の深さと同程度の段差ｈを付け
て円盤状頭部６の表面外周部と区画された環状部分９が形成されており、円形凹入部８の
底面と環状部分９には、シボ加工が施されている。円形凹入部８と段差ｈとの間に形成さ
れた環状部分９は、図１、図３に示すように、花びら模様に形成されている。
【００２０】
尚、円形凹入部８の深さは、０．１〜０．３ｍｍに設定されている。円形凹入部８の深
さが、０．１ｍｍ以下であると、アイロンがけの際、アイロンの底面に近すぎて、アイロ
ンの熱により、材料樹脂が溶融する可能性が大きく、０．３ｍｍ以上に深いと、アイロン
がけによる悪影響は受けないが、円形凹入部８の形状が目立ち過ぎて不体裁であるばかり
でなく、円盤状頭部６の肌触りが悪くなるからである。従って、円形凹入部８の深さは約
０．２ｍｍとするのが、実用的であり、最も好ましい。円形凹入部８の直径は、２〜４ｍ
ｍに設定されている。円形凹入部８の直径が、２ｍｍ以下であると、アイロンがけによる
悪影響は受けないが、頭部中央に小孔が開いているような印象を与えるため、外観的に不
体裁であり、直径が４ｍｍ以上になると、アイロンがけの際、アイロンの底面が円形凹入
部８の底面に接触する可能性が増し、アイロンがけによる悪影響を受けやすくなるからで
ある。従って、円形凹入部８の直径は、約３ｍｍとするのが、実用的であり、最も好まし
い。
【００２１】
上記の構成によれば、合成樹脂製リベット部材３における上方に凸の湾曲面を有する円
盤状頭部６の表面中央部に円形凹入部８を形成したので、スナップボタンの取り付けられ
た衣服にアイロンをかけた際、図５に示すように、アイロン１０の底面１０ａが円形凹入
部８の底面に接触せず、円盤状頭部６の表面中央部に異様な光沢のある円形の平坦面が発
生するのを防止できる。従って、円形凹入部８本来の底面の状態が保持されることになり
、リベット部材３本来の美観、デザインが損なわれないので、衣服全体としての見栄えも
確保できる。尚、図５中の１１はアイロン台を示す。
【００２２】
また、円形凹入部の底面にシボ加工が施されているが、スナップボタンの取り付けられ
た衣服にアイロンをかけた際、アイロン１０の底面１０ａが円形凹入部のシボ加工された
底面に接触しないので、円形凹入部底面のシボ加工によるつや消し状態を保持でき、リベ
ット部材本来の美観、デザインが損なわれないので、衣服全体としての見栄えも確保でき
る。
【００２３】
殊に、上記の構成によれば、円盤状頭部６の表面における円形凹入部８の周囲に、円形
凹入部８の深さと同程度の段差ｈを付けて円盤状頭部６の表面外周部と区画された環状部
分９を形成し、この環状部分９を花びら模様に形成してあるので、リベット部材３の円盤
状頭部６に、円盤状頭部６の表面中央部の円形凹入部８と、その周囲の環状部分９と、そ
の周囲の表面外周部とによる独特の三重模様が付されることになり、しかも、環状部分９
による花びら模様が表面中央部の円形凹入部８によって強調され、リベット部材３の美観
、デザイン性を高め得る効果がある。
【００２４】
図６〜図９は、各々、本発明の他の実施形態を示す。図６に示す実施形態は、円形凹入
部８の底面と、円盤状頭部６の段差ｈより外側の表面外周部にシボ加工を施し、花びら模
様に形成された環状部分９を光沢のある平滑面に成形した点に特徴がある。その他の構成
及び作用は、図１〜図５の実施形態と同じであるから、説明を省略する。
【００２５】
図７に示す実施形態は、円形凹入部８の底面を光沢のある平滑面に成形した点に特徴が
ある。その他の構成及び作用は、図６の実施形態と同じであるから、説明を省略する。
【００２６】
図８に示す実施形態は、円形凹入部８の底面を、光沢のある平滑面に形成すると共に、
その内部にシボ加工による複数の小さなつや消し面８ａを形成して、環状部分９による花
びら模様をより一層強調した点に特徴がある。その他の構成及び作用は、図７の実施形態
と同じであるから、説明を省略する。図示しないが、図８の実施形態とは逆に、円形凹入
部８の底面にシボ加工を施すと共に、その内部に複数の小さな光沢のある平滑面を形成し
て実施してもよい。
【００２７】
図９に示す実施形態は、円形凹入部８の底面を含む円盤状頭部６の表面全体にシボ加工
を施して、つや消しタイプのリベット部材とした点に特徴がある。その他の構成及び作用
については、花びら模様の環状部分が形成されていない点以外、図６の実施形態と同じで
あるから、説明を省略する。
【符号の説明】
【００２８】
Ａ１  雌型のスナップボタン
Ａ２  雄型のスナップボタン
Ｂ１  生地
Ｂ２  生地
ｈ  段差
１  スナップボタン
２  雌型の嵌合用部材（ソケット）
３  リベット部材
４  雄型の嵌合用部材（スタッド）
５  リベット部材
６  円盤状頭部
７  カシメ用の突起
８  円形凹入部
８ａ  小さなつや消し面
９  環状部分
１０  アイロン
１０ａ  アイロンの底面
１１  アイロン台
１２  基板
１３  係合用膨出部
１４  雌型嵌合部
１５  基板
１６  係合用膨出部
１７  雄型嵌合部
【図１】
2015023983.tif 000003
【図２】
2015023983.tif 000004
【図３】
2015023983.tif 000005
【図４】
2015023983.tif 000006
【図５】
2015023983.tif 000007
【図６】
2015023983.tif 000008
【図７】
2015023983.tif 000009
【図８】
2015023983.tif 000010
【図９】
2015023983.tif 000011
【図１０】
2015023983.tif 000012
【図１１】
2015023983.tif 000013
【図１２】
2015023983.tif 000014